(57)【要約】【課題】部品点数の増加や重量増加を招くことなく燃料系統部品の保護性能をより一層向上することが可能な技術を提供すること。【解決手段】プロテクタ２０に突片３４ａを有する延出部３４を設け、プロテクタ２０が内燃機関１に取り付けられた際に、当該突片３４ａが既存の締結ボルト６０の凹部６０ｂに対して所定距離離れた位置において当該凹部６０ｂに対向する構成とする。これにより、車両の正面衝突に伴うラジエータシュラウド９２やインテークマニホールド１４のプロテクタ２０への衝突に起因してプロテクタ２０が変形する際に、プロテクタ２０の延出部３４の突片３４ａを、対向する締結ボルト６０の凹部６０ｂ内に突き当てることができる。これにより、プロテクタ２０が内燃機関１に対する上下左右方向を含むあらゆる方向へズレることを良好に抑制し得て、確実に燃料系統部品１２の保護を図ることができる。【選択図】図１６
2019002294.tif 000002
【特許請求の範囲】
【請求項１】
燃料管を含み内燃機関の燃焼室に燃料を供給するよう構成された燃料系統部品を保護するための燃料系統保護装置であって、
前記燃料管の延在方向の一方側から見たときの形状が略アーチ形状となるよう形成されたアーチ部を有し、前記燃料系統部品の少なくとも一部を前記アーチ部の内側に収容可能に構成されたプロテクタと、
前記内燃機関を構成する部材を該内燃機関に締結する締結ボルトと、
を備え、
前記アーチ部は、該アーチ部の凸方向とは反対方向に向かって延出するよう構成された延出部を有しており、
前記締結ボルトには、頭部に少なくとも四方に壁を有する凹部が形成されており、
前記プロテクタは、前記内燃機関に取り付けられた際、前記延出部の先端が前記凹部に所定距離隔てられた状態で該凹部に対向するよう構成されている
燃料系統保護装置。
【請求項２】
前記凹部は、前記締結ボルトの軸線方向の一方側から見た場合に略円形状に構成されている
請求項１に記載の燃料系統保護装置。
【請求項３】
前記アーチ部は、該アーチ部の剛性を向上する剛性向上部を有しており、
前記延出部は、該剛性向上部の近傍に設けられている
請求項１または２に記載の燃料系統保護装置。
【請求項４】
前記アーチ部は、前記内燃機関の気筒配列方向に延在しており、
前記剛性向上部は、前記アーチ部の延在方向の少なくとも一方の縁部を前記アーチ部の外側に折り返すことにより形成された折曲部として構成されている
請求項３に記載の燃料系統保護装置。
【請求項５】
前記延出部は、前記アーチ部の延在方向の中央部よりも前記折曲部寄りに設けられている
請求項４に記載の燃料系統保護装置。
【請求項６】
前記折曲部には、該折曲部よりもさらに前記アーチ部の外側に向かって突出するよう構成された突部が設けられている
請求項４または５に記載の燃料系統保護装置。
【請求項７】
前記プロテクタは、前記アーチ部を含む本体部と、該本体部を前記内燃機関に締結するべく前記本体部に一体形成された取付部と、を有しており、
前記本体部は、前記取付部に対して破断し易い態様で接続されている
請求項１ないし６のいずれか１項に記載の燃料系統保護装置。
【請求項８】
前記本体部は、車両衝突の際の入力によって前記取付部に対してせん断破壊するよう前記取付部に対して重合して接合されている
請求項７に記載の燃料系統保護装置。
【請求項９】
前記本体部は、前記取付部に対してスポット溶接により接合されている
請求項８に記載の燃料系統保護装置。
【請求項１０】
燃焼室を構成するシリンダヘッドと、
該シリンダヘッドの上部に取り付けられたロッカーカバーと、
燃料管を含み前記燃焼室に燃料を供給するよう構成された燃料系統部品と、
前記燃焼室に空気を供給する吸気系部品と、
請求項１ないし９のいずれか１項に記載の燃料系統保護装置と、
を備え、
前記吸気系部品は、前記燃料系統部品の少なくとも一部を覆うよう構成されており、
前記燃料系統保護装置は、前記吸気系部品と前記燃料系統部品との間に配置されて、前記アーチ部によって前記燃料系統部品の少なくとも一部を覆うよう構成されている
内燃機関。
【発明の詳細な説明】
【技術分野】
【０００１】
本発明は、燃料管を含み内燃機関の燃焼室に燃料を供給するように構成された燃料系統部品を保護するための燃料系統保護装置およびこれを備える内燃機関に関する。
【背景技術】
【０００２】
特開２００７−２３９７１０号公報（特許文献１）には、車両衝突時に燃料噴射弁や燃料配管などの燃料系統部品にエンジンルーム内の部品が衝突するのを防ぐために、燃料系統部品を覆い保護するためのプロテクタを備える燃料系統保護装置が記載されている。
【０００３】
当該燃料系統保護装置では、断面略Ｌ字状に凹んだ先端部を有する突出ブロックの当該先端部が、シリンダヘッド側壁に取り付けられたインテークマニホールドのフランジ部に設けた突当座部の角部に対向するように当該突出ブロックをプロテクタの内側に複数のボルトによって固定する構成とすることによって、外部過大入力によりプロテクタが変形した場合に、突出ブロックの先端部をインテークマニホールドの突当座部の角部に当接させて、プロテクタの機関上下方向のずれを良好に抑制している。これにより、プロテクタをインテークマニホールドの所定位置で確実に突き合わせることができるため、燃料系統部品をより確実に保護することができる。
【先行技術文献】
【特許文献】
【０００４】
【特許文献１】特開２００７−２３９７１０号公報
【発明の概要】
【発明が解決しようとする課題】
【０００５】
しかしながら、上述した公報に記載の燃料系統保護装置では、プロテクタの機関上下方向のずれについては抑制され得るものの、その他の方向、例えば、機関左右方向のずれについては何ら言及されておらず、燃料系統部品の更なる保護性能向上という観点において、なお改良の余地がある。また、上述した公報に記載の燃料系統保護装置では、プロテクタの機関上下方向のずれを抑制するために突出ブロックや突当座部を設ける必要があり、部品点数の増加や重量増加に繋がる。
【０００６】
本発明は、上記に鑑みてなされたものであり、部品点数の増加や重量増加を招くことなく燃料系統部品の保護性能をより一層向上することが可能な技術を提供することを目的の一つとする。
【課題を解決するための手段】
【０００７】
本発明の燃料系統保護装置およびこれを備える内燃機関は、上述の目的を達成するために以下の手段を採った。
【０００８】
本発明に係る燃料系統保護装置の好ましい形態によれば、燃料管を含み内燃機関の燃焼室に燃料を供給するように構成された燃料系統部品を保護するための燃料系統保護装置が構成される。当該燃料系保護装置は、燃料管の延在方向の一方側から見たときの形状が略アーチ形状となるように形成されたアーチ部を有するプロテクタと、内燃機関を構成する部材を当該内燃機関に締結する締結ボルトと、を備えている。プロテクタは、燃料系統部品の少なくとも一部をアーチ部の内側に収容可能に構成されている。アーチ部は、当該アーチ部の凸方向とは反対方向に向かって延出するように構成された延出部を有している。また、締結ボルトには、頭部に少なくとも四方に壁を有する凹部が形成されている。そして、プロテクタは、内燃機関に取り付けられた際、延出部の先端が凹部に所定距離隔てられた状態で当該凹部に対向するように構成されている。
【０００９】
ここで、本発明における「略アーチ形状」とは、燃料管側が凹部となるような円弧形状を含む湾曲形状が該当するが、燃料管側が凹部となるような折曲形状を好適に包含する。また、本発明における「アーチ部の内側」とは、プロテクタが内燃機関に取り付けられた際に内燃機関が配置された側を向く側がこれに該当する。
【００１０】
本発明によれば、プロテクタのアーチ部に設けた延出部の先端を締結ボルトの頭部に形成した凹部に突き当てるのみの簡易な構成で、外部過大入力によってプロテクタに変形が生じた場合におけるプロテクタの四方、例えば、機関上下方向および機関左右方向のずれを良好に抑制することができる。これにより、プロテクタによる燃料系統部品の保護をより一層確実に実現することができる。ここで、「プロテクタに変形が生じた場合」には、文字通りプロテクタの形状が変形する場合の他、プロテクタの一部が破断する場合を好適に包含する。なお、プロテクタの延出部を突き当てる凹部は、締結ボルトの頭部に形成する構成であるため、プロテクタの機関上下方向および機関左右方向のずれを抑制する目的のみのための部品を別途設ける必要がない。これにより、部品点数の増加や重量増加を招くこともない。なお、締結ボルトとして、頭部を所定形状に成形すると同時に当該頭部に凹み部分が成形された所謂アプセットボルトを用いる構成とすることによって、専用の締結ボルトを用いる場合に比べて部品の管理工数を低減することができる。
【００１１】
本発明に係る燃料系統保護装置の更なる形態によれば、凹部は、締結ボルトの軸線方向の一方側から見た場合に略円形状に構成されている。
【００１２】
本形態によれば、機関上下方向および機関左右方向のみならず、機関のあらゆる方向にプロテクタがずれることを良好に抑制できる。
【００１３】
本発明に係る燃料系統保護装置の更なる形態によれば、アーチ部は、当該アーチ部の剛性を向上する剛性向上部を有している。そして、延出部は、当該剛性向上部の近傍に設けられている。
【００１４】
本形態によれば、アーチ部の剛性を向上するための剛性向上部によって延出部の剛性向上を図る構成であるため、合理的である。
【００１５】
本発明に係る燃料系統保護装置の更なる形態によれば、アーチ部は、内燃機関の気筒配列方向に延在している。そして、剛性向上部は、アーチ部の延在方向の少なくとも一方の縁部をアーチ部の外側に折り返すことにより形成された折曲部として構成されている。ここで、本発明における「アーチ部の外側」とは、プロテクタが内燃機関に取り付けられた際に内燃機関が配置された側とは反対側を向く側がこれに該当する。
【００１６】
本形態によれば、アーチ部の延在方向の少なくとも一方の縁部をアーチ部の外側に折り返すのみの簡易な構成で剛性向上部を確保することができる。
【００１７】
本発明に係る燃料系統保護装置の更なる形態によれば、延出部は、アーチ部の延在方向の中央部よりも折曲部寄りに設けられている。
【００１８】
本形態によれば、剛性向上部としての折曲部により近い位置に延出部を設ける構成であるため、延出部の剛性を効果的に向上することができる。
【００１９】
本発明に係る燃料系統保護装置の更なる形態によれば、折曲部には、当該折曲部よりもさらにアーチ部の外側に向かって突出するように構成された突部が設けられている。
【００２０】
本形態によれば、エンジンルーム内の部品、例えば、ラジエータやラジエータシュラウドなどが車両衝突時に燃料系統保護装置のプロテクタに衝突する際に、突部によってラジエータやラジエータシュラウドなどの部品を破壊することができる。これにより、燃料系統部品にこれらラジエータやラジエータシュラウドなどの部品が衝突することを良好に防止することができる。
【００２１】
本発明に係る燃料系統保護装置の更なる形態によれば、プロテクタは、アーチ部を含む本体部と、当該本体部を内燃機関に締結するべく本体部に一体形成された取付部と、を有している。そして、本体部は、取付部に対して破断し易い態様で接続されている。
【００２２】
本形態によれば、車両衝突の際に生ずる衝突エネルギーの一部を、本体部と取付部との破断によって吸収することができる。これにより、燃料系統保護装置による燃料系統部品の保護性能をより向上することができる。
【００２３】
本発明に係る燃料系統保護装置の更なる形態によれば、本体部は、車両衝突の際の入力によって取付部に対してせん断破壊するように取付部に対して重合して接合されている。
【００２４】
本形態によれば、本体部を取付部に対して破断し易い態様で取り付ける構造を簡易に確保することができる。
【００２５】
本発明に係る燃料系統保護装置の更なる形態によれば、本体部は、取付部に対してスポット溶接により接合されている。
【００２６】
本形態によれば、本体部を取付部に対して破断し易い態様で取り付ける構造をより簡易に確保することができる。
【００２７】
本発明に係る内燃機関の好ましい形態によれば、燃焼室を構成するシリンダヘッドと、当該シリンダヘッドの上部に取り付けられたロッカーカバーと、燃料管を含み燃焼室に燃料を供給するよう構成された燃料系統部品と、燃焼室に空気を供給する吸気系部品と、上述したいずれかの態様の本発明に係る燃料系統保護装置と、を備えている。そして、吸気系部品は、燃料系統部品の少なくとも一部を覆うように構成されている。また、燃料系統保護装置は、吸気系部品と燃料系統部品との間に配置されて、アーチ部によって燃料系統部品の少なくとも一部を覆うように構成されている。
【００２８】
本発明によれば、上述した各態様のいずれかの本発明に係る燃料系統保護装置を備えるため、本発明に係る燃料系統保護装置が奏する効果と同様の効果、例えば、プロテクタによる燃料系統部品の保護をより一層確実に実現することができる効果や、部品点数の増加や重量増加を防止できる効果などを奏することができる。また、燃料系統保護装置に加えて吸気系部品によっても燃料系統部品の保護を図ることができる。これにより、内燃機関を搭載した車両の安全性の一層の向上を図ることができる。
【発明の効果】
【００２９】
本発明によれば、部品点数の増加や重量増加を招くことなく燃料系統部品の保護性能をより一層向上することができる。
【図面の簡単な説明】
【００３０】
【図１】本発明の実施の形態に係る内燃機関１の構成の概略を示す概略構成図である。
【図２】本発明の実施の形態に係る内燃機関１の構成の概略を示す概略構成図である。
【図３】本発明の実施の形態に係る内燃機関１を上方から見た平面図である。
【図４】シリンダヘッド２を吸気通路３を含む側壁２ａ側から見た側面図である。
【図５】締結ボルト６０の外観を示す斜視図である。
【図６】締結ボルト６０によってインテークマニホールド１４がシリンダヘッド２に締結された様子を示す説明図である。
【図７】プロテクタ２０の構成の概略を示す斜視図である。
【図８】プロテクタ２０を上方、正面、裏面および側面から見た四面図である。
【図９】プロテクタ２０を側面から見た拡大図である。
【図１０】プロテクタ２０の折曲部３２を拡大して示す拡大斜視図である。
【図１１】図９の矢印Ａ方向から見た矢視拡大図である。
【図１２】図９のＢ部を拡大して示す拡大図である。
【図１３】図１２の矢印Ｃ方向から見た拡大図である。
【図１４】燃料系統部品１２がプロテクタ２０によって覆われている様子を気筒列方向の一方側から見た説明図である。
【図１５】燃料系統部品１２がプロテクタ２０によって覆われている様子を示す斜視図である。
【図１６】プロテクタ２０が変形する前のインテークマニホールド１４、ラジエータシュラウド９２、プロテクタ２０および燃料系統部品１２それぞれの状態を示す説明図である。
【図１７】プロテクタ２０が変形した際のインテークマニホールド１４、ラジエータシュラウド９２、プロテクタ２０および燃料系統部品１２それぞれの状態を示す説明図である。
【発明を実施するための形態】
【００３１】
次に、本発明を実施するための最良の形態を実施例を用いて説明する。
【００３２】
本実施の形態に係る内燃機関１は、図１および図２に示すように、シリンダヘッド２（図２のみに記載）と、当該シリンダヘッド２の上方に取り付けられたロッカーカバー４と、シリンダヘッド２の下方に取り付けられたシリンダブロック６と、当該シリンダブロック６の下方に取り付けられたオイルパン８と、シリンダヘッド２，シリンダブロック６およびオイルパン８の各側壁のうち気筒列方向に直交する一方の側壁を覆うようにシリンダヘッド２，シリンダブロック６およびオイルパン８に締結されたフロントカバー１０と、シリンダヘッド２に取り付けられた燃料系統部品１２と、当該燃料系統部品１２を覆うようにロッカーカバー４に取り付けられたプロテクタ２０と、燃料系統部品１２およびプロテクタ２０を覆うようにシリンダヘッド２に取り付けられたインテークマニホールド１４と、を備えている。
【００３３】
なお、本実施の形態に係る内燃機関１は、図３に示すように、車両の前進走行方向（図３における右側）に向かって直交する左右方向（図３における上下方向）に気筒列方向が沿うように、かつ、インテークマニホールド１４が車両の前側に配置されるように図示しない車両のエンジンルーム内に搭載される。当該エンジンルーム内のうち内燃機関１の左前方角部には、ラジエータシュラウド９２によって覆われたラジエータ９０が設置されている。本実施の形態では、便宜上、図１および図２中の上側（ロッカーカバー４側）を、「上方」ないし「上側」として規定し、図１および図２中の下側（オイルパン８側）を、「下方」ないし「下側」として規定する。また、図３中の上側を、「左方」ないし「左側」として規定し、図３中の下側を、「右方」ないし「右側」と規定する。さらに、図３中の右側を、「前方」ないし「前側」と規定し、図３中の左側を、「後方」ないし「後側」と規定する。
【００３４】
シリンダヘッド２は、内燃機関１を構成する主要部品の一つであり、アルミニウム合金を用いたダイカスト製法によって概略ブロック状に構成されている。シリンダヘッド２の下面には、図４に示すように、燃焼室ＣＣを構成する凹部が形成されている。また、シリンダヘッド２の側壁のうち気筒列方向に沿う一方の側壁２ａには、空気、あるいは、ガソリンまたは軽油などの炭化水素系の燃料と空気との混合気を燃焼室ＣＣに供給するための吸気通路３が開口されている。
【００３５】
側壁２ａには、吸気通路３の開口の周囲を囲うようにインテークマニホールド１４（図示せず）を取付けるための取付フランジ部２ｂと、プロテクタ２０（図４には記載せず）を締結するための締結ボス２ｃ，２ｃと、燃料系統部品１２を構成する図示しないインジェクタが挿通される挿通孔を有する挿通ボス部２ｄと、が設けられている。取付フランジ部２ｂには、締結ボルト６０がネジ係合されるネジ孔ＳＨが形成されている。インテークマニホールド１４は、本発明における「吸気系部品」に対応する実施構成の一例である。
【００３６】
締結ボルト６０は、図５に示すように、頭部６０ａの六角形状を成形する際に、同時に当該頭部６０ａに円形の凹部６０ｂが成形されるフランジ付き六角アプセットボルトとして構成されており、図６に示すように、シリンダヘッド２の取付フランジ部２ｂに形成されたネジ孔ＳＨにネジ係合されることにより、インテークマニホールド１４をシリンダヘッド２に締結する。
【００３７】
燃料系統部品１２は、ガソリンまたは軽油などの炭化水素系の燃料を吸気通路３内あるいは燃焼室ＣＣに噴射する図示しないインジェクタと、図示しない燃料ポンプから送給される燃料が流れる燃料分配管１２ａと、から構成されており、図示しないボルトによりシリンダヘッド２の側壁２ａに取付固定されている。燃料分配管１２ａは、本発明における「燃料配管」に対応する実施構成の一例である。
【００３８】
燃料分配管１２ａは、シリンダヘッド２の気筒列方向に沿って延在しており、図示しないインジェクタのそれぞれに燃料を分配供給するように構成されている。
【００３９】
プロテクタ２０は、図１ないし図３に示すように、シリンダヘッド２の気筒列方向に沿って延在しており、同じくシリンダヘッド２の気筒列方向に延在する燃料分配管１２ａをその延在方向のほぼ全域に亘って覆うように構成されている。プロテクタ２０は、図７ないし図９に示すように、当該プロテクタ２０の主要部を構成する本体部２２と、当該本体部２２に一体に接続されロッカーカバー４に締結される一対の取付部２４，２４と、当該本体部２２に一体に接続されシリンダヘッド２に締結される一対の取付部２６，２６（図８および図９のみに記載）とを備えている。本体部は、本発明における「アーチ部」に対応する実施構成の一例である。
【００４０】
本体部２２は、図７ないし図１０に示すように、延在方向（図８の左右方向）の一方側から見た場合に、アーチ状（略Ｕ字状）に形成されており、図１４に示すように、アーチ状（略Ｕ字状）の内側に燃料分配管１２ａを含む燃料系統部品１２を収容可能に構成されている。本実施の形態では、当該本体部２２によって燃料系統部品１２がその延在方向のほぼ全域が覆われる構成とした。なお、本体部２２の内側とは、プロテクタ２０が内燃機関１に取り付けられた際に、当該内燃機関１が配置される側を向く側として規定される。
【００４１】
本体部２２は、図８示すように、折曲部３２と、当該折曲部３２近傍に設けられた延出部３４と、を有している。折曲部３２は、図７ないし図１０に示すように、本体部２２の延在方向の一端側の縁部を、当該本体部２２の外側に向かって略９０度折り返すことによって構成されている。ここで、本体部２２の外側とは、プロテクタ２０が内燃機関１に取り付けられた際に、当該内燃機関１が配置される側とは反対側を向く側として規定される。このように、本体部２２に折曲部３２を設けることによって本体部２２の剛性が向上し得る。折曲部３２は、本発明における「剛性向上部」に対応する実施構成の一例である。
【００４２】
折曲部３２には、本体部２２の外側に向かってさらに突出るように構成された突部３２ａが設けられている。当該突部３２ａは、アーチ形状の最凸部近傍に設けられており、プロテクタ２０が内燃機関１に取り付けられた際に、略水平方向に突出するように構成されている。
【００４３】
延出部３４は、図８および図１３に示すように、本体部２２の延在方向の一端側端部において折曲部３２に一体形成されている。延出部３４は、図９に示すように、本体部２２のアーチ形状の一方（図９の右側）の端部が他の部分よりも延出されることによって構成されており、その延出端部には、図１１および図１２に示すように、延出部３４の延出方向にさらに突出した突片３４ａが一体形成されている。突片３４ａの幅寸法ｗ（図１１および図１３参照）は、締結ボルト６０の凹部６０ｂの直径よりも小さくなるように形成されている。突片３４ａを含む延出部３４は、本発明における「延出部」に対応する実施構成の一例である。
【００４４】
一対の取付部２４，２４は、図７ないし図９に示すように、本体部２２のアーチ形状の他方の端部において、当該本体部２２に重合させた状態でスポット溶接などによって接合されている。一対の取付部２４，２４は、図１４に示すように、プロテクタ２０が内燃機関１に取り付けられた際に、略水平方向に延在するように構成されている。また、一対の取付部２６，２６は、図８に示すように、本体部２２の延在方向の中央部寄りの位置において、当該本体部２２に一体に設けられている。一対の取付部２６，２６は、図９に示すように、本体部２２のアーチ形状の一方の端部を一対の取付部２４，２４と略平行となるように延出させた後、一対の取付部２４，２４から遠ざかる方向に略９０度折り曲げた形状に形成されている。
【００４５】
こうして構成されたプロテクタ２０は、図１４に示すように、取付部２４がロッカーカバー４の上面にボルトＢ1により締結されると共に、一対の取付部２６，２６がシリンダヘッド２の締結ボス２ｃ，２ｃ（図５参照）にボルトＢ２により締結されることによって、インテークマニホールド１４の内側（内燃機関１側）において内燃機関１に取り付け固定される。これにより、燃料系統部品１２がプロテクタ２０に覆われて保護される。なお、プロテクタ２０は、図１および図３に示すように、その延在方向の大部分がインテークマニホールド１４によって覆われるが、折曲部３２を含む一部分はインテークマニホールド１４によって覆われていない。
【００４６】
このようにプロテクタ２０が内燃機関１に取付けられたときには、プロテクタ２０の延出部３４の突片３４ａが、図１４に示すように、インテークマニホールド１４をシリンダヘッド２に締結する締結ボルト６０のうち最も左側（図１５の右側）に配置された締結ボルト６０の凹部６０ｂから所定距離離れた位置において当該凹部６０ｂに対向した状態となっており、本体部２２のアーチ形状の他方の端部は、所定距離離れた位置においてロッカーカバー４に対向した状態となっている。また、折曲部３２の突部３２ａは、図３に示すように、ラジエータシュラウド９２の角部近傍に対向した状態となっている。プロテクタ２０および締結ボルト６０は、本発明における「燃料系統保護装置」に対応する実施構成の一例である。
【００４７】
次に、こうして構成された内燃機関１の動作、特に、当該内燃機関１を搭載した車両が正面から衝突した際に、プロテクタ２０によって燃料系統部品１２が保護される際の様子について説明する。車両が正面から衝突することによって車両前方側から車両後方側に向かって衝突エネルギーが加わると、燃料系統部品１２よりも車両前側に配置された部品、例えば、ラジエータシュラウド９２を含むラジエータ９０やインテークマニホールド１４など（図１６参照）が、車両後方側へ移動ないし変形し（図１７参照）、当該ラジエータシュラウド９２を含むラジエータ９０やインテークマニホールド１４などを介してプロテクタ２０に衝突荷重が入力される。これにより、プロテクタ２０が変形する。
【００４８】
まず、ラジエータシュラウド９２がプロテクタ２０に衝突することによる当該プロテクタ２０の変形を考える。ラジエータシュラウド９２は、プロテクタ２０のうち突部３２ａを含む折曲部３２に衝突する。当該折曲部へのラジエータシュラウド９２の衝突に起因するプロテクタ２０の変形によって、プロテクタ２０の延出部３４の突片３４ａが、図１７に示すように、対向する締結ボルト６０の頭部６０ａの凹部６０ｂ内に突き当たる。このように、突片３４ａが凹部６０ｂ内に突き当たることによって、プロテクタ２０が変形する際に当該プロテクタ２０が内燃機関１に対して上下左右方向を含むあらゆる方向にズレることを良好に抑制し得る。また、当該ラジエータシュラウド９２が突部３２ａに衝突する際に、突部３２ａによって破砕されるため、プロテクタ２０に入力される衝突エネルギが良好に吸収され得る。この結果、プロテクタ２０の内側に収容された燃料系統部品１２が良好に保護され得る。
【００４９】
次に、インテークマニホールド１４がプロテクタ２０に衝突することによる当該プロテクタ２０の変形を考える。インテークマニホールド１４がプロテクタ２０に衝突することによって、プロテクタ２０の本体部２２と取付部２４との間でせん断破壊が生じる。プロテクタ２０の本体部２２と取付部２４とがせん断破壊されると、本体部２２がロッカーカバー４に向かって移動され、図１７に示すように、本体部２２のアーチ形状の他端部がロッカーカバー４に突き当たる。このように、インテークマニホールド１４を介してプロテクタ２０に入力される衝撃エネルギを、本体部２２と取付部２４とをせん断破壊する際に要する破壊エネルギとして吸収させることによって、当該衝突エネルギを良好に低減したうえで本体部２２のアーチ形状の他端部をロッカーカバー４に突き当てる構成であるため、プロテクタ２０の内側に収容された燃料系統部品１２が良好に保護され得る。
【００５０】
なお、インテークマニホールド１４がプロテクタ２０に衝突することによる当該プロテクタ２０の変形によっても、プロテクタ２０の延出部３４の突片３４ａが、対向する締結ボルト６０の頭部６０ａの凹部６０ｂ内に突き当たり、プロテクタ２０が変形する際に当該プロテクタ２０が内燃機関１に対して上下左右方向を含むあらゆる方向にズレることを良好に抑制し得る。これにより、プロテクタ２０の内側に収容された燃料系統部品１２の保護性能がより一層向上され得る。
【００５１】
以上説明した本発明の実施の形態に係る内燃機関１によれば、プロテクタ２０に突片３４ａを有する延出部３４を設け、プロテクタ２０が内燃機関１に取り付けられた際に、当該突片３４ａが締結ボルト６０の凹部６０ｂに対して所定距離離れた位置において当該凹部６０ｂに対向する構成であるため、車両の正面衝突に伴うラジエータシュラウド９２やインテークマニホールド１４などのプロテクタ２０への衝突に起因してプロテクタ２０が変形する際に、プロテクタ２０の延出部３４の突片３４ａを、対向する締結ボルト６０の凹部６０ｂ内に突き当てることができる。これにより、プロテクタ２０が変形する際に当該プロテクタ２０が内燃機関１に対して上下左右方向を含むあらゆる方向にズレることを良好に抑制し得る。しかも、プロテクタ２０の突き当て先として、インテークマニホールド１４をシリンダヘッド２に締結するためのフランジ付き六角アプセットボルトとして構成された締結ボルト６０を用いる構成であるため、部品点数の増加や重量増加、さらには、部品の管理工数増加を招くこともない。
【００５２】
また、本発明の実施の形態に係る内燃機関１によれば、プロテクタ２０の折曲部３２の突部３２ａによってラジエータシュラウド９２を破砕する構成であるため、車両衝突の際に生ずる衝突エネルギーをラジエータシュラウド９２を破砕するために要する破砕エネルギーとして吸収することができ、車両衝突の際に生ずる衝突エネルギーをより一層低減することができる。これにより、プロテクタ２０が燃料系統部品１２に衝突することを良好に抑制することができ、より確実に燃料系統部品１２の保護を図ることができる。
【００５３】
さらに、本発明の実施の形態に係る内燃機関１によれば、インテークマニホールド１４がプロテクタ２０に衝突した際に、プロテクタ２０の本体部２２と取付部２４との間でせん断破壊させる構成であるため、インテークマニホールド１４を介してプロテクタ２０に入力される衝撃エネルギを、本体部２２と取付部２４とをせん断破壊する際に要する破壊エネルギとして吸収することができる。これにより、プロテクタ２０が燃料系統部品１２に衝突することを良好に抑制することができ、より確実に燃料系統部品１２の保護を図ることができる。
【００５４】
本実施の形態では、インテークマニホールド１４をシリンダヘッド２に締結するための全ての締結ボルト６０にフランジ付き六角アプセットボルトを用いる構成としたが、プロテクタ２０の突片３４ａに対向する位置における締結ボルト６０のみにフランジ付き六角アプセットボルトを用いる構成としても良い。また、プロテクタ２０の突片３４ａに対向する位置における締結ボルト６０も他の締結ボルト６０と同じ凹部６０ｂを有さないフランジ付き六角ボルトを用いる構成とする場合、突片３４ａに対向する位置における締結ボルト６０の頭部６０ａに凹部６０ｂを設ける構成とすれば良い。
【００５５】
本実施の形態では、締結ボルト６０の凹部６０ｂを円形に構成したが、これに限らない。例えば、凹部６０ｂは、三角形や四角形などの多角形に構成しても良い。
【００５６】
本実施の形態では、本体部２２の延在方向の一端側の縁部を、当該本体部２２の外側に向かって略９０度折り返すことによって折曲部３２を設ける構成としたが、これに限らない。本体部２２の剛性の向上を図ることができれば如何なる構成でも良く、例えば、本体部２２の延在方向の一端側の縁部に当該本体部２２の外側に向かって突出するリブを設ける構成としても良い。
【００５７】
本実施の形態では、プロテクタ２０のうちラジエータシュラウド９２が衝突する箇所近傍に延出部３４を設ける構成としたが、これに限らない。例えば、プロテクタ２０のうちインテークマニホールド１４が衝突する箇所にも延出部３４を設ける構成としても良い。この場合、当該延出部３４の突片３４ａは、インテークマニホールド１４をシリンダヘッド２に締結する締結ボルト６０の凹部６０ｂに対向する位置に設ける構成とすれば良い。あるいは、締結ボルト６０に限らず、他のボルトの凹部、例えば、燃料系統部品１２をシリンダヘッド２に取り付けるためのボルトの凹部に対向する位置に設けても良い。
【００５８】
本実施形態は、本発明を実施するための形態の一例を示すものである。したがって、本発明は、本実施形態の構成に限定されるものではない。
【符号の説明】
【００５９】
１        内燃機関（内燃機関）
２        シリンダヘッド（シリンダヘッド）
２ａ      側壁
２ｂ      取付フランジ部
２ｃ      締結ボス
２ｄ      挿通ボス部
４        ロッカーカバー（ロッカーカバー）
６        シリンダブロック
８        オイルパン
１０      フロントカバー
１２      燃料系統部品（燃料系統部品）
１２ａ    燃料分配管（燃料管）
１４      インテークマニホールド（吸気系部品）
２０      プロテクタ（燃料系統保護装置、プロテクタ）
２２      本体部（アーチ部、本体部）
２４      取付部（取付部）
２６      取付部
３２      折曲部（剛性向上部、折曲部）
３２ａ    突部（突部）
３４      延出部（延出部）
３４ａ    突片（延出部）
６０      締結ボルト（締結ボルト、燃料系統保護装置）
６０ａ    頭部
６０ｂ    凹部（凹部）
９０      ラジエータ
９２      ラジエータシュラウド
ＣＣ      燃焼室（燃焼室）
ＳＨ      ネジ孔
Ｂ１      ボルト
Ｂ２      ボルト
【図１】
2019002294.tif 000003
【図２】
2019002294.tif 000004
【図３】
2019002294.tif 000005
【図４】
2019002294.tif 000006
【図５】
2019002294.tif 000007
【図６】
2019002294.tif 000008
【図７】
2019002294.tif 000009
【図８】
2019002294.tif 000010
【図９】
2019002294.tif 000011
【図１０】
2019002294.tif 000012
【図１１】
2019002294.tif 000013
【図１２】
2019002294.tif 000014
【図１３】
2019002294.tif 000015
【図１４】
2019002294.tif 000016
【図１５】
2019002294.tif 000017
【図１６】
2019002294.tif 000018
【図１７】
2019002294.tif 000019